(57)【特許請求の範囲】
【請求項１】
（１）基板にホトレジスト膜を形成する工程と、
（２）ドットの平面形状のパターンまたは反転パターンを有し、前記ドット幅を前記基板の面内で変化させたホトマスクを上記基板上に配置し、前記マスク上方から紫外線を照射したあと現像して前記基板に小凸部からなり、ドット毎にドット幅の異なるドットを備えたレジストパターンを形成する工程と、
（３）該レジストパターンを加熱し、前記小凸部のドット形状を前記ドット幅によって決定される断面傾斜角に整形することによって、前記基板面内に前記ドットの断面傾斜角の分布を形成する工程と、
（４）前記パターン上に金属メッキを施し、プラスティク形成用金属スタンパを形成する工程と、
（５）該スタンパを用いて、プラスチック成形する工程、
を有することを特徴とする液晶表示装置用導光板の製造方法。
【請求項２】
（１）基板にホトレジスト膜を形成する工程と、
（２）ドットの平面形状のパターンまたは反転パターンを有し、ドット間距離を前記基板の面内で変化させたホトマスクを上記基板上に配置し、前記マスク上方から紫外線を照射したあと現像し、小凹部からなるレジストを除去して形成されるドットを備えたレジストパターンをドット間毎にドット間距離を変化させて形成する工程と、
（３）該レジストパターンを加熱し、前記ドットの形状を前記ドット間距離によって決定される断面傾斜角に整形することによって、前記基板面内に前記ドットの断面傾斜角の分布を形成する工程と、
（４）前記パターン上に金属メッキを施し、プラスティク形成用金属スタンパを形成する工程と、
（５）該スタンパを用いて、プラスチック成形する工程、
を有することを特徴とする液晶表示装置用導光板の製造方法。
【発明の詳細な説明】
【０００１】
【発明の属する技術分野】
本発明は、背面照明（バックライト）方式の液晶表示装置に関する。
【０００２】
【従来の技術】
近年パーソナルコンピュータの小型化が推進され、ラップトップ形といわれる携帯可能な機種が広く普及している。このラップトップ形においては、その表示は通常液晶装置が用いられているが、近年のカラー表示化に伴い、液晶表示板の背後に光源を配設し、表示面全体を裏側から照明するようにした背面照明方式の表示装置が普及している。このような表示装置の背面照明装置としての光源は輝度が高く、しかも輝度のムラがなく平面全体を照明する必要がある。輝度を向上させるためには、光源の輝度を上げれば簡単であるが、ラップトップ形のパーソナルコンピュータ等においては電池などを駆動源としているために光源の輝度を上げるのは限界があり、従来有効な方法がなかった。
【０００３】
従来の液晶表示装置用エッヂライト方式の照明装置としては、特開平４−１６２００２号公報、特開平６−６７００４号公報に記載の如く、図２に示したように、光源１として冷陰極管や熱陰極管等のランプを使用し、これを透過性材料からなる導光板２の端面に配し、導光板２の下面に光を散乱させる光散乱層３及び光を反射させる反射板４、導光板２の上面に照明面の輝度を面全体に渡って均一化するための光散乱効果を有する乳白色の合成樹脂からなる拡散板５が設けられている。更にその上面には、拡散光をある程度収束して、表示装置の正面の輝度を向上させるための第１集光板６および第２集光板７が配置されている。
【０００４】
また、導光板２に導かれた光を拡散板方向に散乱させるための光散乱層の構造および製造法は以下のようになっている。図３に光散乱層の構造を示す。光散乱層は、導光板２の表面に酸化チタン等を用いた複数の光散乱物質８が、印刷等の技法を用いて形成されている。光源からの光強度は、光源１から遠ざかるに従い低下する。従って光散乱物質の面積は、光源から遠ざかるに従い大きくなるように形成されている。
【０００５】
一方、特開平７−２９４７４５号公報のように、導光板底面にグレーティング溝を形成して導光板に入射した光を反射せる方式の導光板も提案されている。
【０００６】
以上述べたように、従来の照明装置では、光源から出射された光は、導光板に導かれ、光散乱層に含まれる光散乱物質により散乱され、その後拡散板を通過して液晶素子に照射される構成になっており、その構成が複雑であり、また光散乱などの損失による輝度低下の問題がある。また、グレーティング溝を形成する方式は、金型製造が困難であるなどの問題がある。
【０００７】
【発明が解決しようとする課題】
上記した従来の装置では、構成部品が多く、導光板上面に拡散板や集光板を配置しているため、輝度の斑は減少できるが、反面全体の輝度が低下する欠点があった。このような構成の場合、輝度の均一化と輝度の向上は常に相反する課題であり、これを解決することは困難である。一方、グレーティング溝を形成する方式の導光板の場合には、輝度の向上は図れるものの、金型の製作や輝度の均一化がきわめて困難である。
【０００８】
本発明はこのような現状を打開するためになされたもので、従来の欠点を改善して、光源の輝度を上げることなく輝度の向上を図ることのできる液晶表示装置を提供することを目的とする。
【０００９】
【課題を解決するための手段】
上記目的を達成するために本発明では、導光板内導波光の進行方向を所定の方向に変換させるために、断面傾斜角を適切に制御した複数の小凸部あるいは小凹部（以下ドットと称す）を形成した導光板を用いる。また、必要に応じてドットに沿って反射膜を形成するか、あるいは反射板を配置する。さらに、必要に応じて適切なプリズム頂角を有したプリズムシートを配置して、光出射面から適切な角度分布をもった照明光を表示素子に向かって照射できるようにする。さらに、モアレの発生を防ぐため、ドットの配置が、一定の制約条件を満たし、かつランダムに配置形成した部材を用いる。また、必要に応じてドットの数及びまたは形状及びまたは大きさを変化させることにより、出射光の角度分布の均一化及び輝度斑の発生を防止するものである。
【００１０】
【発明の実施の形態】
本発明では、導光板内導波光の進行方向を所定の方向に変換させるため、導光板表面に複数の小凸部あるいは小凹部からなるドット９を形成する。ドットとは、図４（導光板下面に小凹部を形成した場合）に示すように、導光板表面のドット形成面１０を正面から見て、導光板ドット形成面の平坦部１１（Ｒａ＜１．０μｍ、導光板光出射面１２に対する角度１０゜以下）に囲まれた小凸部あるいは小凹部である。
【００１１】
図５は本発明の実施形態をまとめたものであり、小凸部または小凹部傾斜面の導光板表面の平坦部に対する角度（以下断面傾斜角度と表記する）、断面傾斜角度分布、深さあるいは高さ、及びその分布、平面形状、形状分布、大きさ、ドットの配置、ドットの密度分布、ドット形状分布、本発明の導光板の副資材を示した。
【００１２】
本発明の液晶表示装置の導光板の断面傾斜角度は、７〜８５゜（好ましくは７〜４３°及び５０〜８５゜）が適する。特に反射膜を形成した場合には２０〜４０°、集光板を用いて反射膜を形成しない場合ないは７〜４３°、集光板を用いず反射膜を形成しない場合ないは５０〜８５゜が適する。
【００１３】
ここで、図６〜図１６を用いて断面傾斜角度を説明する。
図６は、断面傾斜角度を求める時の導光板の切断面１３を説明した図である。断面傾斜角度を求めるときは、図６に示すように、ドットを光源１に対して垂直かつ導光板光出射面１２に対して垂直に切断するのが望ましい。これは、光源に対して水平方向のドット斜面が反射屈折等により光の進路変更を行うときより有効に作用するためである。
【００１４】
断面傾斜角度を求める時は、以下の方法で計算する。
ドットの断面形状が図７に示すようにほぼ台形に近似可能な場合は、図７に示すように断面傾斜角度を定める。台形に近似しにくい場合は、断面形状をまず直線近似する。その結果、図８、図９のようにほぼ近似できるときは、θ２を断面傾斜角度とする。また、図１０、図１１の様にほぼ近似できるときは、θ１とθ２の平均値を断面傾斜角度とする。また、図１２、図１３のようにほぼ近似できるときは、θ１とθ２の平均値を断面傾斜角度とする。ただし、θ２＜１０゜の場合は、θ１−θ２を断面傾斜角度とする。また、図１４、図１５のようにほぼ近似できるときは、θ１とθ２の平均値を断面傾斜角度とする。ただし、θ２＜１０゜の場合は、θ１−θ２を断面傾斜角度とする。なお、図８〜図１５において、断面傾斜角度を以下の式（数１）で求めても良い。また近似誤差（真値と近似値の差）は、断面傾斜角度を計算するドットのドット深さ（ドット高さ）の５％以下となるように近似することが望ましい。さらに、θの値は、導光板の屈折率により決定する値であり屈折率が１．４７±０．１の場合、１８゜程度が適当である。
【００１５】
【数１】
0003637880.tif 000002
【００１６】
さらに、図８〜図１５のように近似できない場合は、図１６に示すように近似誤差（真値と近似値の差）が断面傾斜角度を計算するドットのドット深さ（ドット高さ）の５％以下となるようになるべく少ない直線で断面形状を近似し、各直線のうち有効な反射屈折面として機能する導光板表面の平坦部１１とのなす角が５゜以上の直線について、以下の公式（数２）に当てはめて断面傾斜角度を求める。なお、ドット形状が左右対称でない場合は、導光板内導波光がより多く反射する方の斜面の角度を断面傾斜角度とすることが望ましい。
【００１７】
【数２】
0003637880.tif 000003
【００１８】
以上のように計算した断面傾斜角度を上記範囲に規定するのは、導光板光出射面からの光の出射角度分布を適正化すると同時に、必要以上に斜めから出射する光の量を抑制して、正面輝度を向上するためである。また、ドット断面傾斜角度は、輝度の角度分布の均一化を図るために冷陰極管に近いほど小さくすることが望ましい。
【００１９】
ドットの深さまたは高さは、２〜１００μｍ（好ましくは５〜４０μｍ）が適正である。その理由は、ドットの深さまたは高さが１００μｍより大きい場合、光源に近い部分の輝度が高くなり過ぎて、結果として、輝度分布が不均一になること、また導光板を形成する際、プラスチック材料をドットの小凸部または小凹部に充填しにくくなり、所望のドット形状を形成しにくくなること、さらにドット深さまたは高さをこれ以上とすると、ドットの大きさが大きくなりドット見えの原因となるためである。一方ドットの深さまたは高さが２μｍより小であると、光の反射効率が低下して所望の輝度を得ることができなくなることや、導波光が散乱及び回折しやすくなり、導光板を単に粗面にしたのと同一になってしまうためである。また、ドットの深さまたは高さは、輝度分布の均一化を図るために冷陰極管に近いほど小さくすることが望ましい。
【００２０】
ドットの平面形状すなわち、ドット形成面の正面からドットを眺めた場合の形状に関しては、種々の形状が有効であり、とくに限定するものではない。目安としては、図１７に示す、略矩形（Ａ）、正方形（Ｂ）、円形（Ｃ）、略円形（Ｄ）（円を一部変形させた物）、正多角形（Ｅ）、台形（Ｆ）及びこれらの図形を組み合わせたもの（Ｇ）が使用できる。略矩形は、散乱が少なく正面輝度を高めるのに適しており、それ以外は、散乱成分が大きいので光入光面からの陰の発生防止に効果がある。なお、略矩形というのは、矩形を含み、矩形の角に丸みのある図形、矩形に対して一辺の長さが変形した台形に近い形を意味する。
【００２１】
ドットの平面形状分布は、輝度分布の均一化を図るために冷陰極管に近いほどドット面積を小さくすることが望ましい。また、散乱が特に必要な場合、ドット面積を部分的に小さくすることや、ドット形状が略矩形の場合は、形状を略正方形や円形にすることが望ましい。
【００２２】
ドットの大きさは、その面積が０．２平方ミリメートル以下（好ましくは０．０５平方ミリメートル以下）であることが望ましい。また、ドットの平面形状が略矩形の場合、短い辺の長さが２００μｍ以下（好ましくは１００μｍ以下）であることが望ましい。その理由は、ドットの大きさがこれより大となると、パソコン等のユーザーが液晶表示装置を眺めた場合、文字や図柄によっては、導光板に形成したドットの形状が見えてしまい（ドット見え）、文字、図の判別の妨げとなるためである。一方ドットの面積は、０．００００２５平方ミリメートル（好ましくは０．０００１平方ミリメートル）よりも大であることが望ましい。ドット面積がこれより小であると、光の反射効率が低下して所望の輝度を得ることができなくなることや、導波光が散乱及び回折しやすくなり、導光板を単に粗面にしたのと同一になってしまうためである。
【００２３】
ドットの平面的配置は、ランダムであることが望ましい。その理由は、本発明のドットが微細であるため、液晶表示装置を構成するその他の部材例えば液晶セル、カラーフィルタ、ＴＦＴパターン、ブラックストライプ等の規則的パターンと干渉して発生するモアレを防止するためである。ドットの平面形状が略矩形の場合、図形の配置は矩形の長い辺が光源の発光面に対してほぼ平行に配置するのが良い。その理由は出射角分布の適正化が図りやすいためである。
【００２４】
ドットの密度は、輝度分布の均一化を図るために、光源に近いほどドット密度を小にすることが望ましい。
【００２５】
さらに本発明の液晶表示装置において、反射板、拡散板、集光板等、従来使用されてきた副資材を必要に応じて併用することは、輝度向上、輝度分布の適正化、出射角度の適正化に有効である。
【００２６】
以下本発明の実施例１を図面に基づき説明する。
図１は、本発明の液晶表示装置に用いられる背面照明装置の斜視図、図１８は本実施例のドット（小凹部）を示す斜視図、図１９は、本実施例のドット（小凹部）の形状説明図である。
【００２７】
この背面照明装置は、光源１、導光板２、反射板４を最小構成要素としており、導光板には、導光板下面１８にドット９（小凹部）が形成されている。また、ドットは、基本的にはランダムに配置されている。
【００２８】
図２０は、本発明の導光板内を進行する導光板導波光１４の光線軌跡を示したものである。図２０において、光源からの出射光は導光板光源側端面１５で導光板入射光１６として導光板に入射し、導光板導波光となり、他方の端面１７に向かって、導光板下面１８および導光板光出射面１２で全反射を繰り返しながら進行する。導波光のうち小凹部傾斜面１９に入射した光２０は、反射して光出射面にあたり、そこで屈折して光出射面から出射して出射光２１として出射する。そして、反射しなかった光は、ドット斜面透過光２２となり反射板で反射２３し、再び導光板２に入射し、その一部は光出射面から出射し、残りは再び導光板導波光となる。従って、ドットを適正に配置することにより、導波光を徐々に導光板から出射させて液晶表示素子を照明することができる。また、断面傾斜角度２４を適正に制御することによりと導光板からの出射光の角度分布を制御することができる。さらに、断面傾斜角度の適正角度は、導光板の形状の影響を受ける。
【００２９】
図２１は、実施例１で作製した３タイプの導光板の形状を示した図である。図２２は、図２１（Ａ）の導光板の小凹部ドット傾斜角と導光板からの出射光の角度分布の関係を示した図である。なお、図２２のグラフ中の出射角は、図２１中に図示した出射角２５である。図２３は、図２１（Ａ）の導光板上に拡散板、第１集光板、第２集光板を設置した場合の、断面傾斜角度と正面輝度の関係を示した図である。測定では、小凹部の深さを断面傾斜角度１０゜以下で３μｍ、２０゜以上で８μｍとした。また、ドット密度を、導光板全体が均一に光るように最適化し測定した。さらに、図２０に示すように導光板の導光板下面、導光板側面には反射板４を設置することもできる。
【００３０】
以下に、図２２を詳細に説明する。断面傾斜角度５〜３０゜は、断面傾斜角度の増加に伴い出射光強度が最大となる出射角度が大きくなり、そのときの出射光強度も大きくなる。断面傾斜角度を３０〜５０゜とすると断面傾斜角度の増加に伴い出射角度がさらに大きくなるが、出射光強度は低下する。そして、断面傾斜角度５０゜以上では、出射光の角度分布に明確なピークは無くなる。
【００３１】
これは、断面傾斜角度が３０゜以下の場合、導光板導波光が小凹部斜面１９で反射するとき、入射角が大きく全反射に近い条件で反射し反射率が高いため、断面傾斜角度の増加に伴い出射光強度が最大となる出射角度が大きくなり光出射面からの出射光強度も大きくなる。これに対して、断面傾斜角度が３０゜以上の場合、導光板導波光が小凹部斜面で反射するとき、断面傾斜角度の増加に伴い入射角が小さくなり、小凹部斜面における反射率が低下する。このため、断面傾斜角度の増加に伴い出射光強度が最大となる出射角度は大きくなるが、そのときの出射光強度は低下する。そして、断面傾斜角度５０゜以上では、反射率が大きく低下しドット斜面透過光２２がメインになり、反射板で反射する光２３が大きくなるため角度分布に明確なピークは無くなる。また正面輝度は、断面傾斜角度が２５゜でピークとなる。これは、断面傾斜角度が２５゜前後の場合、小凹部斜面での反射が臨界角度前後であり高い反射率を有し、導光板光出射面１２での入射角が比較的小さく高い透過率を有することから、スムーズに光が出射するためである。これに対して、２５゜前後よりも断面傾斜角度が大きいとドット斜面透過光が大きくなり反射板による反射時の損失等が増加する。また、これ以下とすると導光板光出射面１２で屈折し出射するときの反射率が増加するため、導光板内部での反射回数が増加し損失が増加することや、ドット密度を最大まで上げても十分な小凹部斜面を確保できないためである。
【００３２】
上記の実施例（図２１（Ａ））の場合、最適な断面傾斜角度は、１５〜４０゜と５０゜〜８５゜である。詳細に説明すると、集光板や拡散板を用いる場合、導光板からの出射光の角度分布は重要性を持たないため、最適な断面傾斜角度は、正面輝度が大となる１５〜４０゜（好ましくは、１８〜３５゜）である。また、集光板を用いない場合、最適な断面傾斜角度は、出射光の角度分布が小さくなる５０゜以上である。また、８５゜以上とすると成形が困難となるので好ましくない。
【００３３】
図２４は、図２１（Ｂ）の導光板の小凹部ドット傾斜角と導光板からの出射光の角度分布の関係を示した図である。図２５は、図２１（Ｂ）の導光板上に拡散板、第１集光板、第２集光板を設置した場合の、断面傾斜角度と正面輝度の関係を示した図である。測定では、小凹部の深さを断面傾斜角度１０゜以下で３μｍ、２０゜以上で８μｍとした。また、ドット密度を、導光板全体が均一に光るように最適化し測定した。さらに、図２０に示すように導光板の導光板下面、導光板側面には反射板４を設置した。
【００３４】
以下に、図２４を詳細に説明する。断面傾斜角度５〜２５゜は、断面傾斜角度の増加に伴い出射光強度が最大となる出射角度が大きくなり、そのときの出射光強度も大きくなる。断面傾斜角度を２５〜５０゜とすると断面傾斜角度の増加に伴い出射角度がさらに大きくなるが、出射光強度は低下する。そして、断面傾斜角度５０゜以上では、出射光の角度分布に明確なピークは無くなる。
【００３５】
これは、断面傾斜角度が２５゜以下の場合、導光板導波光が小凹部斜面で反射するとき、入射角が大きく全反射に近い条件で反射し反射率が高いため、断面傾斜角度の増加に伴い出射光強度が最大となる出射角度が大きくなり光出射面からの出射光強度も大きくなる。これに対して、断面傾斜角度が２５゜以上の場合、導光板導波光が小凹部斜面で反射するとき、断面傾斜角度の増加に伴い入射角が小さくなり、小凹部斜面における反射率が低下する。このため、断面傾斜角度の増加に伴い出射光強度が最大となる出射角度は、大きくなるが、そのときの出射光強度は低下する。そして、断面傾斜角度５０゜以上では、反射率が大きく低下しドット斜面透過光がメインになり、反射板による散乱光が大きくなるため角度分布に明確なピークは無くなる。ここで、ピークの位置が図２１（Ａ）の３０゜と異なるのは、導光板が平板でなく光源側の厚さが厚い楔形となっているため、断面傾斜角度が実質的に大きくなっていること、さらに、導光板内導波光が全反射を繰り返すことにより導光板と導光板内導波光のなす角が大きくなるためである。
【００３６】
また正面輝度は、断面傾斜角度が１５〜２０゜でピークとなる。ここで、ピークの位置が図２１（Ａ）の２５゜と異なるのは、導光板が平板でなく光源側の厚さが厚い楔形となっているため、断面傾斜角度が実質的に大きくなっており、さらに、導光板内導波光が全反射を繰り返すことにより導光板と導光板内導波光のなす角が大きくなるためである。
【００３７】
上記の実施例（図２１（Ｂ））の場合、最適な断面傾斜角度は、１０〜２５゜と５０゜〜８５゜である。詳細に説明すると、集光板や拡散板を用いる場合、導光板からの出射光の角度分布は重要性を持たないため、最適な断面傾斜角度は、正面輝度が大となる１０〜２５゜である。また、集光板を用いない場合、最適な断面傾斜角度は、出射光の角度分布が小さくなる５０゜以上である。また、８５゜以上とすると成形が困難となるので好ましくない。
【００３８】
図２６は、図２１（Ｃ）の導光板の小凹部ドット傾斜角と導光板からの出射光の角度分布の関係を示した図である。図２７は、図２１（Ｃ）の導光板上に拡散板、第１集光板、第２集光板を設置した場合の、断面傾斜角度と正面輝度の関係を示した図である。測定では、小凹部の深さを断面傾斜角度１０゜以下で３μｍ、２０゜以上゜で８μｍとした。また、ドット密度を、導光板全体が均一に光るように最適化し測定した。さらに、図２０に示すように導光板の導光板下面、導光板側面には反射板４を設置した。
【００３９】
以下に、図２６を詳細に説明する。断面傾斜角度５〜３０゜は、断面傾斜角度の増加に伴い出射光強度が最大となる出射角度が大きくなり、そのときの出射光強度も大きくなる。断面傾斜角度を３０〜５０゜とすると断面傾斜角度の増加に伴い出射角度がさらに大きくなるが、出射光強度は低下する。そして、断面傾斜角度５０゜以上では、出射光の角度分布に明確なピークは無くなる。
【００４０】
これは、断面傾斜角度が３０゜以下の場合、導光板導波光が小凹部斜面で反射するとき、入射角が大きく全反射に近い条件で反射し反射率が高いため、断面傾斜角度の増加に伴い出射光強度が最大となる出射角度が大きくなり光出射面からの出射光強度も大きくなる。これに対して、これは、断面傾斜角度が３０゜以上の場合、導光板導波光が小凹部斜面で反射するとき、断面傾斜角度の増加に伴い入射角が小さくなり、小凹部斜面における反射率が低下する。この為、断面傾斜角度の増加に伴い出射光強度が最大となる出射角度は、大きくなるが、そのときの出射光強度は低下する。そして、断面傾斜角度５０゜以上では、反射率が大きく低下しドット斜面透過光がメインになり、反射板による反射光２３が大きくなるため角度分布に明確なピークは無くなる。また正面輝度は、断面傾斜角度が２５〜３０゜でピークとなる。
【００４１】
上記の実施例（図２１（Ｃ））の場合、最適な断面傾斜角度は、１８〜４３゜と５０゜〜８５゜である。詳細に説明すると、集光板や拡散板を用いる場合、導光板からの出射光の角度分布は重要性を持たないため、最適な断面傾斜角度は、正面輝度が大となる１８〜４３゜（好ましくは、２５〜３５゜）である。また、集光板を用いない場合、最適な断面傾斜角度は、出射光の角度分布が小さくなる５０゜以上である。また、８５゜以上とすると成形が困難となるので好ましくない。
【００４２】
以上のように最適な断面傾斜角度は導光板の厚さや形状により異なるが、種々検討の結果、最適な断面傾斜角度は、７〜８５゜であった。詳細に説明すると、拡散板及び又は集光板を用いる場合、導光板からの出射光の角度分布は重要性を持たないため、最適な断面傾斜角度は、正面輝度が大となる７〜４３゜（好ましくは、１０〜４０゜）である。また、集光板を用いない場合、最適な断面傾斜角度は、出射光の角度分布が小さくなる５０゜以上である。また、８５゜以上とすると成形が困難となるので好ましくない。
【００４３】
次に本発明の導光板小凹部の種々の形状に関してさらに詳しく説明する。
【００４４】
図１９は、実施例１のドット（小凹部）の形状を示した図である。この実施例では、ドットの平面形状は略矩形をしている。なお、本発明においては、略矩形の他に図２８に示す正方形（Ｂ）、円形（Ｃ）、略円形（Ｄ）（円を一部変形させた物）、正多角形（Ｅ）、台形（Ｆ）及びこれらの図形を組み合わせたもの（Ｇ）も使用できる。略矩形は、散乱が少なく正面輝度を高めるのに適しており、それ以外は、散乱成分が大きいので光入光面からの陰の発生防止に効果がある。すなわち、導光板の光入光面からの陰の発生部のドットの大きさを小さくして、散乱効果を発揮させ陰を消すことができる。
【００４５】
図２９（Ｃ）は、図７〜図１６以外の本発明の小凹部断面形状を説明したものである。図２９（Ａ）は小凹部断面形状が台形の例である。図２９（Ｂ）は、小凹部断面形状が略台形で、エッヂが滑らかなＲ形状をしたものである。この形状は実際に導光板を形成するときの製造条件のばらつきを考慮したときに有効な形状となる。また、このエッヂが滑らかなＲ形状であるため散乱が起きにくく輝度向上に効果がある。図２９（Ｃ）は、小凹部の断面形状が非対称である例であり、ドットの密度を上げやすい長所がある。なお、図２９（Ｂ）のエッヂが滑らかなＲ形状は、断面形状が台形のみに限定されるものではなく、その他の形状に関しても適用できる。
【００４６】
次に本発明の導光板小凹部の深さに関してさらに詳しく説明する。
【００４７】
図３０は、図２１（Ａ）の導光板上に拡散板、第１集光板、第２集光板を設置した場合の、ドット深さと正面輝度の関係を示した図である。測定では、図１９に示すようにドット底面２６の大きさを約０．２×０．０４ｍｍ、断面傾斜角度２４を３０゜に固定し、ドット密度を導光板全体が均一に光るように最適化し測定した。さらに、図２０に示すように導光板の導光板下面、導光板側面には反射板４を設置した。
【００４８】
図３０より、小凹部深さは、導光板内導波光の反射を効率よく行うために、２μｍ以上（好ましくは５μｍ以上）であることが望ましい。その原因は、ドット深さが２μｍ以下の場合、ドット密度を最大まで上げても小凹部傾斜面１９の面積を十分に確保するのが困難なためである。さらに、小凹部の高さが低いと、導波光が散乱及び回折しやすくなり、導光板を単に粗面にしたのと同一になってしまうためである。
【００４９】
また、小凹部深さ上限は、１００μｍ以下（好ましくは４０μｍ以下）が望ましい。小凹部深さがこれより大である場合、正面輝度の低下は見られないが、ドットの大きさが大きくなりドット見えの原因となるためである。
【００５０】
次に本発明の導光板小凹部の大きさに関してさらに詳しく説明する。小凹部の大きさは、その面積が０．００００２５平方ミリメートル以上（好ましくは０．０００１平方ミリメートル以上）であることが望ましい。その理由は、ドット面積が０．００００２５平方ミリメートル以下の場合、導波光が散乱及び回折しやすくなり、導光板を単に粗面にしたのと同一になってしまうためである。
【００５１】
また、ドットの平面形状が略矩形の場合、その短辺は３０μｍ以上が好ましい。これは、ドットの平面形状を略矩形とする場合、散乱を減少させるため、ドットの大きさをある程度大きくする必要があるためである。これは、ドットのエッジの部分、すなわちドットの傾斜面とそれ以外の部分のつなぎ目で散乱が生じるため、ドットの短辺が小さいとドットの傾斜面と比較し、散乱が生じる部分のドットに占める割合が増加し散乱が大きくなってしまうためである。すなわち、ドットの平面形状が略矩形の場合、ドット見えの生じない範囲でドットは大きめの方が好ましい。さらに、後述する製造法において、レジストを露光するときに、マスクに安価なフイルムマスクを用いることや大型の密着型全面露光機を用いるためには、その短辺は３０μｍ以上あることが望ましい。
【００５２】
また、ドットが大きすぎるとドット見えの原因となる。図３１は、ドットの大きさとドット見えの関係を調べた結果を示した図である。種々条件を検討した結果、ドット形状が円形や正方形等の場合、集光板を１枚にすることを考慮するとその面積は、０．２平方ミリメートル以下（好ましくは、０．０５平方ミリメートル以下）が望ましい。ドット形状が略矩形の場合、その短辺は２００μｍ以下（好ましくは１００μｍ以下）が望ましい。また、その短辺と長辺の比は、８０以下（好ましくは、２０以下）が望ましい。これら以上の場合、ドット見えの原因となる可能性がある。
【００５３】
光源からの光強度は一般的に導光板内で光源から遠ざかるにつれて低下するので、それに応じて小凹部の密度、高さ或いは大きさを変化させ、小凸部反射光の強度分布すなわち輝度が導光板全面に渡って均一になるようにする。本発明では、単一光源の場合、小凸部の密度は光源側端面から相対する導光板端面に向かって、指数関数的、あるいはべき乗的に増加するように形成するのが良い。しかし、光源側と相対する導光板端面での光の反射を考慮すると、上記相対する導光板端面の近傍では端面に近づくにつれて、その密度を減じたほうが輝度の均一化が図れる場合が多い。
【００５４】
次に、本発明の背面照明装置の構成を図３２により説明する。
図３２（Ａ）は、単一光源、楔形導光板の例である。光源からの距離に反比例して導光板厚さを減じた導光板を用いたことに特徴があり、導光板出射光の強度分布の均一化と、導光板厚さの低減、軽量化に有効である。
【００５５】
図３２（Ｂ）は、単一光源を用い、光源と反対側の導光板端面に傾斜をもたせた例であり、導波光のうち、光出射面から出射せず、光源と反対側の導光板端面まで達した導波光の角度を変化させて、導波光出射を容易にしたことを特徴とする。これにより、導光板出射光の強度分布の均一化が容易になり、また光損失が低減できる。
【００５６】
図３２（Ｃ），（Ｄ）は、光源側の導光板端面を導光板入射光広がり角を調整するために、凹状、凸状にした例である。光出射面出射光の角度分布の制御に有効である。
【００５７】
図３２（Ｅ）は、２光源型で、導光板として平板を用いた例である。
【００５８】
図３２（Ｆ）は、２光源型で、光源からの距離の違いによる輝度むらを補償するために、導光板の厚さを変化させた例である。上記背面照明装置の構成は、図示したものに限定されるものではなく、それぞれを組み合わせて、構成することが可能である。
【００５９】
次に本発明の実施例２を図面に基づき説明する。
図３３は本発明の背面照明装置の斜視図、図３４は本実施例のドット（小凸部）を示す斜視図、図３５は本実施例のドット（小凸部）の形状説明図である。
【００６０】
この背面照明装置は、光源１、導光板２、反射板４を最小構成要素としており、導光板には、導光板下面１８にドット９（小凸部）が形成されている。また、ドットは、基本的にはランダムに配置されている。
【００６１】
図３６は、本発明の導光板内を進行する導光板導波光の光線軌跡を示したものである。図３６において、光源１からの出射光は導光板光源側１５端面で導光板入射光１６として導光板２に入射し、導光板導波光１４となり、他方の端面に向かって、導光板下面１８および導光板光出射面１２で全反射を繰り返しながら進行する。導波光のうち小凸部傾斜面２７に入射した光の一部は、反射して導光板光出射面１２にあたり、そこで屈折して光出射面から出射して出射光２１として出射する。そして、反射しなかった光は、ドット斜面透過光２２となり反射板で反射２３し再び導光板に入射し、その一部は光出射面から出射し、残りは再び導光板導波光となる。従って、小凸部を適正に配置することにより、導波光を徐々に導光板から出射させて液晶表示素子を照明することができる。また、断面傾斜角度を適正に制御することにより、導光板からの出射光の角度分布を制御することができる。
【００６２】
図３７は、小凸部ドット傾斜角と導光板からの出射光の角度分布の関係を示した図である。なお、導光板の外形形状は、図２１（Ａ）と同一であり、グラフ中の出射角は図２１中に図示した出射角２５である。図３８は、上記導光板上に拡散板、第１集光板、第２集光板を設置した場合の、断面傾斜角度と正面輝度の関係を示した図である。測定では、小凹部の深さを断面傾斜角度１０゜以下で３μｍ、２０゜以上゜で８μｍとした。また、ドット密度を、導光板全体が均一に光るように最適化し測定した。さらに、実施例１と同様に導光板の導光板下面、導光板側面には反射板４を設置した。
【００６３】
図３７、図３８は、実施例１の図２１（Ａ）の導光板の結果とほぼ同一の結果である。これは、ドットの反射する面が異なるだけで光が出射する機構がほぼ同じためである。従って、最適な断面傾斜角度は、実施例１と同じ７〜８５゜であった。詳細に説明すると、拡散板及び又は集光板を用いる場合、導光板からの出射光の角度分布は重要性を持たないため、最適な断面傾斜角度は、正面輝度が大となる７〜４３゜である。また、集光板を用いない場合、最適な断面傾斜角度は、出射光の角度分布が小さくなる５０゜以上である。また、８５゜以上とすると成形が困難となるので好ましくない。
【００６４】
次に本発明の導光板小凸部の種々の形状に関してさらに詳しく説明する。
図３５は、本発明の実施例２の導光板小凸部の平面形状を示した図である。この実施例では、小凸部の平面形状は略矩形をしている。なお、本発明においては、略矩形の他に図１７に示す正方形（Ｂ）、円形（Ｃ）、略円形（Ｄ）（円を一部変形させた物）、正多角形（Ｅ）、台形（Ｆ）及びこれらの図形を組み合わせた物（Ｇ）も使用できる。略矩形は、散乱が少なく正面輝度を高めるのに適しており、それ以外は、散乱成分が大きいので光入光面からの陰の発生防止に効果がある。すなわち、導光板の光入光面からの陰の発生部のドットの大きさを小さくして、散乱効果を発揮させ陰を消すことができる。
【００６５】
図３９は、図７〜図１６以外の本発明の小凸部断面形状を説明するための図である。図３９（Ａ）は小凸部断面形状が台形の例である。図３９（Ｂ）は、小凸部断面形状が略台形で、エッヂが滑らかなＲ形状をしたののである。この形状は実際に導光板を形成するときの製造条件のばらつきを考慮したときに有効な形状となる。また、このエッヂが滑らかなＲ形状であるため散乱が起きにくく輝度向上に効果がある。図３９（Ｃ）は、小凸部の断面形状が非対称である例であり、ドットの密度を上げやすい長所がある。なお、図３９（Ｂ）のエッヂが滑らかなＲ形状は、断面形状が台形のみに限定されるものではなく、その他の形状に関しても適用できる。
【００６６】
次に本発明の実施例における導光板小凸部の高さに関して説明する。小凸部高さは、実施例１と同様の理由で、２μｍ以上（好ましくは５μｍ以上）、１００μｍ以下（好ましくは４０μｍ以下）であることが望ましい。また、本実施例においては、小凸部高さを図４０に示すように、ドット幅と断面傾斜角度と導光板内導波光広がり角度２８により定まる値２９より高くすれば、反射面として有効に機能する部分３０が変化しないため、ドット高さむらに起因する輝度斑を防止できる利点がある。
【００６７】
本実施例のドットの平面形状、小凸部の大きさ、分布、背面照明装置の構成は、実施例１と同様である。
【００６８】
次に本発明の実施例３を図面に基づき説明する。
図４１は、本発明の背面照明装置の斜視図、図４２は本実施例のドット９（小凹部）を示す斜視図、図１９は、本実施例のドットの形状説明図である。
【００６９】
この背面照明装置は、光源１、導光板２、反射板４を最小構成要素としており、導光板には、導光板光出射面１２にドットが形成されている。また、ドットは、基本的にはランダムに配置されている。
【００７０】
図４３は、本発明の導光板内を進行する導光板導波光の光線軌跡を示したものである。図４３において、光源１からの出射光は導光板光源側端面１５で導光板入射光１６として導光板２に入射し、導光板導波光１４となり、他方の端面に向かって、導光板下面１８および導光板光出射面１２で全反射を繰り返しながら進行する。導波光のうち小凹部傾斜面１９に入射した光の一部は、屈折して光出射面から出射光２１として出射する。そして、屈折しない成分は反射し、導光板下面から出射し反射板で反射２３し再び導光板に入射し、その一部は光出射面から出射し、残りは再び導光板導波光となる。従って、小凹部を適正に配置することにより、導波光を徐々に導光板から出射させて液晶表示素子を照明することができる。
【００７１】
図４４は、実施例３の導光板からの出射光の角度分布を示した図である。なお、断面傾斜角度は３０゜、導光板の外形形状は図２１（Ａ）と同一であり、グラフ中の出射角は図２１中に図示した出射角２５である。図４５は、上記導光板上に拡散板、第１集光板、第２集光板を設置した場合の、断面傾斜角度と正面輝度の関係を示した図である。測定では、小凹部の深さを断面傾斜角度１０゜以下で３μｍ、２０゜以上゜で８μｍとした。また、ドット密度を、導光板全体が均一に光るように最適化し測定した。さらに、実施例１と同様に導光板の導光板下面、導光板側面には反射板４を設置した。
【００７２】
図４４を説明する。出射光の角度分布には２つのピークが存在する。出射角１０〜２０゜のピークは、図４３において、小凹部斜面１９で反射し導光板下面から出射し反射板で反射し出射した光によるピークである。また、７０゜以上に見られるピークは、小凹部斜面１９を透過した光と楔があるために出射する光である。実施例３は、実施例１と比較すると出射光の出射角は大きくなる傾向があり、これを断面傾斜角度を変更し小さくすることは困難である。従って、拡散板や集光板の併用が望ましい。従って、最適な断面傾斜角度は、図４５より正面輝度が大となる１５〜８５゜である。
【００７３】
次に実施例３のドット（小凹部）の平面形状及び小凹部断面形状に関しては、実施例１と同様の各種形状が利用できる。また、本実施例の小凹部の高さ、大きさ、分布、背面照明装置の構成は、実施例１と同様である。さらに、本実施例の小凹部を図３５に示す小凸部としても同様の結果が得られる。また、ドットを導光板の下面と光出射面両方に作製すると、両者の中間的な特性が得られる。
【００７４】
次に本発明の実施例４を説明する。
図４６は、本発明の導光板と組み合わせると有効な集光板３１（プリズムシート）の断面形状を示したものである。図４７は、実施例１の導光板と図４６の集光板を組み合わせた場合の配置を示した。ここで、集光板の角度θP1、θP2は、導光板の種類により種々の最適値が存在するが、９０＜θP1＜６０゜、２５＜θP2＜５５°が好ましい。
【００７５】
図４８は、図４７（Ａ）の配置でθP1を８５゜、θP2を３５゜の場合の出射光の角度分布である。正面だけでなく出射角−４０゜前後も輝度が高い特徴があり正面輝度を確保しつつ視野角を大きく広げることができる。このタイプの組み合わせの場合、θP1は、なるべく大きな値とする必要がある。すなわち、７５゜以上が望ましい。ただし、８５゜以上は作製が困難なため望ましくない。また、７５゜よりも小さいと出射角−４０゜前後も輝度が低下する。θP2は、３５±１０゜が望ましい。これ以外の値とすると輝度最大となる出射角が正面からはずれてしまう。
【００７６】
図４９は、図４７（Ｂ）の配置でθP1を７０゜、θP2を４５゜の場合の出射光の角度分布である。全ての出射角で均一な輝度を得ることができ、視野角を大きく広げることができる。このタイプの組み合わせの場合、θP1は、７０±１０゜が望ましい。これ以外の値とすると全ての出射角で均一な輝度を得ることが困難となる。θP2は、４５±１０゜が望ましい。これ以外の値とすると全ての出射角で均一な輝度を得ることが困難となる。
【００７７】
図５０は、実施例４（Ａ）の背面照明装置の視野角を分かりやすく示した図（写真）である。図５１は、図５０撮影時の背面照明装置の構成を説明した図である。従来の背面照明装置３２は、印刷ドットを用いた導光板３３を使用し、導光板下面に反射板４、導光板光出射面に拡散板５、第１集光板６、第２集光板７を設置してある。第１集光板、第２集光板は、頂角９０゜のプリズムシートを使用している。実施例４の背面照明装置３４は、実施例１の導光板３５を使用し、導光板下面に反射板４、導光板光出射面に拡散板５、図４６の集光板３１を設置してある。
【００７８】
次に本発明の実施例５を説明する。
本発明では、断面傾斜角度を制御することにより、導光板からの出射光の角度分布を制御できる。ここで、導光板全面で断面傾斜角度を均一にすると、図５２に示すように、光源に近い位置と遠い位置で出射光の角度分布が異なってしまう。これを防止するためには、光源に近い位置と遠い位置で断面傾斜角度を変化させることが有効である。光源に近い位置と遠い位置で出射光の角度分布のピークのズレは、導光板の外形形状等により異なるが１〜１５゜程度の値をとる（図５２の場合８゜）。図５３は、図５２の導光板の断面傾斜角度の平均を光源側からこれと反対側に向かって変化させ、その角度が光源側が小であるようにした場合の出射光の角度分布である。本実施例では、断面傾斜角度を光源から１０ｍｍ地点で２７゜、１５０ｍｍの地点で３３゜になるように直線的に変化させた。この断面傾斜角度の変化量は、導光板の外形形状等により異なるが０．５〜１５゜とする必要がある。
【００７９】
次に本発明の実施例６を説明する。
本発明では、断面傾斜角度を制御することにより、導光板からの出射光の角度分布を制御できる。ここで、導光板を１〜４平方センチメートルの面積で見たときの断面傾斜角度を均一にし、正面輝度向上の為に集光板を２枚使用すると、図５４の角度均一に示すように、導光板からの出射光の角度分布に鋭いピークを持つ視野角の狭い背面照明装置になる。これを防止する方法としては、拡散板を用いる方法もあるが、本発明においては、導光板を１〜４平方センチメートルの面積で見たときに断面傾斜角度を不均一にすることにより視野角を制御できる。図５４の角度不均一は、導光板を１〜４平方センチメートルの面積で見たときに断面傾斜角度をその平均からを中心に±１０゜の範囲でドット及びドットの一部毎に変化させた場合の導光板からの出射光の角度分布である。このように、視野角を断面傾斜角度の不均一性により制御可能である。またこの時の断面傾斜角度の変動範囲は、±２〜１５゜であることが望ましい。±２゜以下の場合、視野角を広げる効果は、殆ど存在しない。また、±１５゜以上とすると断面傾斜角度により出射角を制御可能な範囲から外れてしまうため好ましくない。
【００８０】
次に本発明の実施例７を説明する。
本発明では、ドットの斜面による反射屈折により光を導光板外に誘導し、それ以外の部分の正反射を用いて光を導光板内の隅々に行き渡らせている。従って、導光板の表面粗さを小さくすることにより、反射屈折時の損失を低減し、輝度向上を図る事ができる。図５５は、導光板のドット形成面の平坦部（ドット形成面となす角５゜以下）のＲａと正面輝度（拡散板＋集光板２枚使用）の関係を示した図である。図５５より、Ｒａは、０．３μｍ以下（好ましくは０．０５μｍ以下）が望ましい。また、実施例１〜２において、反射板４に変えて反射膜をドットに沿って成膜することも有効である。
【００８１】
次に、本発明の液晶表示装置用導光板の製造方法を説明する。
導光板の製造方法としては、基本的には、金型を製作し、プラスチック成形して製造する。該金型の製造方法としては、種々の機械加工法、例えば、ドリル加工、切削、研削等の手法を用いることができる。また放電加工法も有効な手段である。ただし、本発明の小凸部または小凹部からなるドットは、一般的設計でその数が２００〜２０，０００個／平方センチメートルであり、導光板全体では膨大な数になるため、以下に述べる製造方法を適用するのがよい。
【００８２】
図５６は、その製造方法の実施例１を示したプロセス図である。この製造方法は、
（１）基板３６にホトレジスト３７を形成する工程と、
（２）ドットのパターンを有したホトマスク３８を上記基板上に配置し、マスク上方から紫外線39を照射したあとホトレジストを現像して基板にドットのパターン40を形成する工程と、
（３）パターン上に金属メッキを施し、メッキ層４１からなるプラスチック成形用スタンパ４２を形成する工程と、
（４）上記スタンパを用いて、プラスチック成形する工程
を有する。
【００８３】
ここで、基板としては、厚さ２から１０ｍｍ程度の鏡面研磨したガラス板等が用いられる。ホトレジストを形成する前に、シラン系の接着性向上剤をあらかじめ塗布しておくことができる。ホトレジスト材料としては、液状あるいはフィルム状のポジ型、ネガ型材料が使用可能である。図５６ではポジ型材料を使用した場合の工程を示した。その形成方法としては、スピンコーティング法、ロールコーティング法がある。ホトレジストの厚さをコントロールすることにより小凸部の高さや小凹部の深さを変化させることが可能である。また露光、現像条件を工夫することにより、断面傾斜角度をコントロールすることができる。ホトマスクは、クロムマスク、フィルムマスク、エマルジョンマスクなど各種マスクが使用可能であり、あらかじめ設計したドットの大きさ、数、分布等のデータを作成しておき、電子ビーム、レーザビーム等により描画することにより作成できる。メッキ層を形成するまえに、導電膜を形成しておくと、メッキ工程のむらがなくなり、良好なメッキ層すなわちスタンパが形成できる。導電層、メッキ層の材料としては種々の金属が使用できるが、均一性、機械的性能の点でＮｉが最適な材料である。得られたメッキ層は、基板から物理的に容易に剥離することが可能であり、必要に応じて、研磨仕上げしてスタンパとして使用する。
【００８４】
得られたスタンパは、例えば射出成形機の母型４３にマグネット、真空チャック等で固定する。図５６には射出成形機により導光板２を製作する方法を示したが、これ以外の方法として、押し出し成形、圧縮成形、真空成形等で導光板を成形することが可能である。
【００８５】
導光板を構成する材料としては、透明なプラスチック材料全般が使用可能である。具体例としては、アクリル系プラスチック、ポリカーボネート樹脂、ポリアセタール樹脂、ポリウレタン系樹脂、紫外線硬化型のプラスチック材料がある。このうちアクリル系材料は、透明性、価格、成形性の点で優れており本発明に適した材料である。
【００８６】
図５７は、本発明の製造方法の実施例２を示したプロセス図である。
この製造方法は、
（１）スタンパ原盤４４にホトレジスト膜３７を形成する工程と、
（２）ドットのパターンを有したホトマスク３８を上記基板上に配置し、マスク上方から紫外線３９を照射したあと現像してスタンパ原盤４４にドットのパターン４０を形成する工程と、
（３）上記パターンをマスクにして、スタンパ原盤４４をエッチングしてスタンパ４２を形成する工程と、
（４）ホトレジストマスク残り４５を取り除く工程と、
（５）上記スタンパを用いて、プラスチック成形する工程
を有する。
【００８７】
本工程は、メッキ工程を用いず、金属板を加工する点が図５６の工程と異なる。ここで、スタンパ原盤は、例えばＮｉ等の鏡面仕上げた金属板である。ホトマスクパターンをマスクにしてスタンパ原盤をエッチングする方法としては、ウェットエッチングの他、各種のドライエッチング法が使用できる。とりわけ、イオンビームを所定の角度から入射させて、断面傾斜角度を制御することができるイオンミリング法はこれに適した方法である。なお、スタンパ原盤の代わりに一般的に使用される金型材料を用いて上記製造法で直接金型を製造することもできる。
【００８８】
図５８は、本発明の製造方法の実施例３を示したプロセス図である。この製造方法は、
（１）基板にホトレジスト膜３７を形成する工程と、
（２）ドットのパターンを有したホトマスク３８を上記基板上に配置し、マスク上方から紫外線３９を照射したあと現像して基板にドットのパターンの原形を形成する工程と、
（３）パターンをドライエッチングしてパターンを所望の断面形状に整形する工程と、
（４）金属メッキを施しプラスチック成形用スタンパを形成する工程と、
（５）上記スタンパを用いて、プラスチック成形する工程
を用いたことを特徴とする。
【００８９】
このプロセスはホトマスクパターンをドライエッチング法により、所定の形状に成形したあと、メッキ工程によりスタンパを形成する手法で、ドライエッチング法として、イオンミリング等を用いることにより、ドットの原形を所望の断面形状に整形することができる特徴を有する。
【００９０】
次に、実施例５、６を実現するための製造法の実施例１と組み合わせて行う製造法の実施例を説明する。製造方法実施例１において、（２）基板にドットのパターンを形成する工程の後にアニール工程（１５５〜２００℃）を入れた場合、ドット幅（ドットの光源に対して垂直方向の長さ（図３５参照））あるいはドット間平均距離（単位距離／（ドット密度の平方根））を変化させることにより断面傾斜角度を制御することができる。すなわち、図５９に示すように、ドット幅により断面傾斜角度を制御可能であり、図６０に示すようにドット間平均距離を用いても断面傾斜角度を制御することができる。ここでにドット幅と断面傾斜角度の関係の例を図６１に示す。ドット幅を狭くすることにより断面傾斜角度を大きくできる。なお、ドット幅あるいはドット間平均距離、どちらを変化させるかは、使用するレジストの種類（ポジ、ネガの２タイプ）とマスクの種類（ドットになる部分を遮光するか光を通すかの２タイプ）によりいずれか一方に定まる。
【００９１】
次に、液晶表示装置の構成を説明する。
図６２に本発明の液晶表示装置を示した。背面照明装置の上面には偏向板、ＴＦＴ、液晶セル、共通電極、カラーフィルタ、偏光板が設置される。この構成は液晶表示装置の一般例を示したものであり、表示装置の用途によっては、背面照明装置を含めて、種々の構成が考えられる。
【００９２】
例えば、パーソナルコンピュータのディスクトップ型液晶表示装置、あるいはテレビモニタには、特に広い視野角が要求されるがこの場合には、照明光を散乱させて視野角を拡大させる拡散板を適当な位置に配置することができる。また、プリズムシートを配置して更に指向性の高い照明光を液晶セルに照射したあと、視野角を広げるために光り拡散効果のあるシートを配置したり、光出射面を加工して光散乱機能を持たせて視野角を広げることもできる。
【００９３】
光源の具体例としては、冷陰極管、熱陰極管、タングステンランプ、キセノンランプ、メタルハライドランプ、などが挙げられる。通常、冷陰極管のような低温系の光源が望ましい。
【００９４】
本発明に用いる液晶素子ないしは液晶セルについては特に限定はなく、周知の素子、パネルが使用できる。一般的な液晶セルとしては、ツイストネマティック型やスーパーツイストネマティック型、ホモジニアス型、薄膜トランジスタ型のもの、またアクティブマトリックス駆動型や単純マトリックス駆動型のものなどが挙げられる。
【００９５】
なお、必要に応じて用いられる輝度均一化マスク（図示せず）は、光源からの距離差による輝度のムラを補償するためのもので、例えば光の透過率を変化させたシートなどとして形成されるもので、輝度均一化マスクは、導光板上の任意の位置に配置することができる。
【００９６】
【発明の効果】
以上述べたように、本発明による多機能かつ高性能な導光板を液晶表示装置に用いることにより、従来多数の部品すなわち、光源、導光板、拡散シート、プリズムシート、反射シート等で構成されていた背面照明装置の部品点数を減じることができる。同時に輝度の向上、部品価格と組立工数の低減がはかれる。従って、輝度むら発生のない、安定した特性を有した液晶表示装置が得られる。
【図面の簡単な説明】
【図１】本発明の液晶表示装置の背面照明装置部の斜視図である。
【図２】従来のドット印刷方式導光板の断面図である。
【図３】図２のドット印刷の説明図である。
【図４】本発明によるドットの大きさ説明図である。
【図５】本発明の実施形態をまとめた図である。
【図６】本発明の断面傾斜角度切断方向の説明図である。
【図７】本発明の断面傾斜角度の説明図１である。
【図８】本発明の断面傾斜角度の説明図２である。
【図９】本発明の断面傾斜角度の説明図３である。
【図１０】本発明の断面傾斜角度の説明図４である。
【図１１】本発明の断面傾斜角度の説明図５である。
【図１２】本発明の断面傾斜角度の説明図６である。
【図１３】本発明の断面傾斜角度の説明図７である。
【図１４】本発明の断面傾斜角度の説明図８である。
【図１５】本発明の断面傾斜角度の説明図９である。
【図１６】本発明の断面傾斜角度の説明図１０である。
【図１７】本発明のドットの平面形状をまとめた図である。
【図１８】本発明の導光板小凹部を示す斜視図である。
【図１９】本発明の導光板小凹部の形状説明図である。
【図２０】本発明の実施例１の導光板内の光線軌跡を説明するための図である。
【図２１】本発明の導光板形状の説明図である。
【図２２】本発明の実施例１の小凹部断面傾斜角度と出射光角度分布の関係図１である。
【図２３】本発明の実施例１の小凹部断面傾斜角度と出射光強度の関係図１である。
【図２４】本発明の実施例１の小凹部断面傾斜角度と出射光角度分布の関係図２である。
【図２５】本発明の実施例１の小凹部断面傾斜角度と出射光強度の関係図２である。
【図２６】本発明の実施例１の小凹部断面傾斜角度と出射光角度分布の関係図３である。
【図２７】本発明の実施例１の小凹部断面傾斜角度と出射光強度の関係図３である。
【図２８】本発明のドットの平面形状をまとめた図である。
【図２９】本発明の小凹部断面形状の図である。
【図３０】本発明の小凹部深さと出射光強度の関係図である。
【図３１】本発明の小凹部大きさとドット見えの関係図である。
【図３２】本発明の構成説明図である。
【図３３】本発明の液晶表示装置の第２の実施例の背面照明装置部の斜視図である。
【図３４】本発明の導光板小凸部を示す斜視図である。
【図３５】本発明の導光板小凸部の形状説明図である。
【図３６】本発明の導光板内の光線軌跡を説明するための図である。
【図３７】本発明の実施例２の小凸部断面傾斜角度と出射光角度分布の関係図である。
【図３８】本発明の実施例２の小凸部断面傾斜角度と出射光強度の関係図である。
【図３９】本発明の小凸部断面形状の図である。
【図４０】本発明の小凸部深さと出射光強度の関係図である。
【図４１】本発明の液晶表示装置の第３の実施例の背面照明装置部の斜視図である。
【図４２】本発明の導光板小凹部を示す斜視図である。
【図４３】本発明の実施例３の導光板内の光線軌跡を説明するための図である。
【図４４】本発明の実施例３の出射光角度分布の説明図である。
【図４５】本発明の実施例３の小凹部断面傾斜角度と出射光強度の関係図である。
【図４６】本発明に用いられる集光板の断面形状の図である。
【図４７】本発明の液晶表示装置の第４の実施例の要部の図である。
【図４８】本発明の実施例４の出射光角度分布１である。
【図４９】本発明の実施例４の出射光角度分布２である。
【図５０】本発明の実施例４の出射光の角度依存性を示す図である。
【図５１】図５０の説明図である。
【図５２】本発明の断面傾斜角度均一時の出射光の角度依存性の図である。
【図５３】本発明の断面傾斜角度を変化させた場合の出射光の角度依存性の図である。
【図５４】本発明の断面傾斜角度を局所的に変化させた場合の出射光の角度依存性の図である。
【図５５】本発明の表面粗さと正面輝度の関係図である。
【図５６】本発明に用いられる導光板を製造するためのプロセス図１である。
【図５７】本発明に用いられる導光板を製造するためのプロセス図２である。
【図５８】本発明に用いられる導光板を製造するためのプロセス図３である。
【図５９】本発明のドット幅と断面傾斜角度の関係説明図である。
【図６０】本発明のドット間平均距離と断面傾斜角度の関係説明図である。
【図６１】本発明のドット幅と断面傾斜角度の関係例説明図である。
【図６２】本発明の液晶表示装置の要部分解斜視図である。
【符号の説明】
１…光源、                          ２…導光板、
３…光散乱層、                      ４…反射板、
５…拡散板、                        ６…第１集光板、
７…第２集光板、                    ８…光散乱物質、
９…ドット、                        １０…ドット形成面、
１１…導光板ドット形成面、          １２…導光板光透過面、
１３…断面傾斜角度を求める時の導光板の切断面、
１４…導光板導波光、                １５…導光板光源側端面、
１６…導光板入射光、                １７…他方の端面、
１８…導光板下面、                  １９…小凹部傾斜面、
２０…小凹部傾斜面に入射した光、    ２１…出射光、
２２…ドット斜面透過光、            ２３…反射板で反射する光、
２４…断面傾斜角度、                ２５…出射角、
２６…ドット底面、                  ２７…小凸部傾斜面、
２８…導光板内導波光広がり角度、
２９…ドット幅と断面傾斜角度と導光板内導波光広がり角度により定まる値、
３０…反射面として有効に機能する部分、
３１…本発明の導光板と組み合わせると有効な集光板、
３２…従来の背面照明装置、          ３３…印刷ドットを用いた導光板、
３４…実施例４の背面照明装置、      ３５…実施例１の導光板、
３６…基板、                        ３７…ホトレジスト、
３８…ホトマスク、                  ３９…紫外線、
４０…ドットのパターン、            ４１…メッキ層、
４２…プラスチック成形用スタンパ、  ４３…母型、
４４…スタンパ原盤、                ４５…ホトレジストマスク残り。
【図１】
0003637880.tif 000004
【図２】
0003637880.tif 000005
【図３】
0003637880.tif 000006
【図４】
0003637880.tif 000007
【図５】
0003637880.tif 000008
【図６】
0003637880.tif 000009
【図７】
0003637880.tif 000010
【図８】
0003637880.tif 000011
【図９】
0003637880.tif 000012
【図１０】
0003637880.tif 000013
【図１１】
0003637880.tif 000014
【図１２】
0003637880.tif 000015
【図１３】
0003637880.tif 000016
【図１４】
0003637880.tif 000017
【図１５】
0003637880.tif 000018
【図１６】
0003637880.tif 000019
【図１７】
0003637880.tif 000020
【図１８】
0003637880.tif 000021
【図１９】
0003637880.tif 000022
【図２０】
0003637880.tif 000023
【図２１】
0003637880.tif 000024
【図２２】
0003637880.tif 000025
【図２３】
0003637880.tif 000026
【図２４】
0003637880.tif 000027
【図２５】
0003637880.tif 000028
【図２６】
0003637880.tif 000029
【図２７】
0003637880.tif 000030
【図２８】
0003637880.tif 000031
【図２９】
0003637880.tif 000032
【図３０】
0003637880.tif 000033
【図３１】
0003637880.tif 000034
【図３２】
0003637880.tif 000035
【図３３】
0003637880.tif 000036
【図３４】
0003637880.tif 000037
【図３５】
0003637880.tif 000038
【図３６】
0003637880.tif 000039
【図３７】
0003637880.tif 000040
【図３８】
0003637880.tif 000041
【図３９】
0003637880.tif 000042
【図４０】
0003637880.tif 000043
【図４１】
0003637880.tif 000044
【図４２】
0003637880.tif 000045
【図４３】
0003637880.tif 000046
【図４４】
0003637880.tif 000047
【図４５】
0003637880.tif 000048
【図４６】
0003637880.tif 000049
【図４７】
0003637880.tif 000050
【図４８】
0003637880.tif 000051
【図４９】
0003637880.tif 000052
【図５０】
0003637880.tif 000053
【図５１】
0003637880.tif 000054
【図５２】
0003637880.tif 000055
【図５３】
0003637880.tif 000056
【図５４】
0003637880.tif 000057
【図５５】
0003637880.tif 000058
【図５６】
0003637880.tif 000059
【図５７】
0003637880.tif 000060
【図５８】
0003637880.tif 000061
【図５９】
0003637880.tif 000062
【図６０】
0003637880.tif 000063
【図６１】
0003637880.tif 000064
【図６２】
0003637880.tif 000065